【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
製品錠剤を分配するための分配機であって、
ａ）第一ディスク部材を通過して長手方向に延伸する第一開口部を包含し、回転可能な第一ディスク部材と、
ｂ）第二ディスク部材を通過して長手方向に延伸する第二開口部を包含し、前記第一ディスク部材の第一開口部が断続的に前記第二開口部と整列する、固定の第二ディスク部材と、
ｃ）第三ディスク部材を通過して長手方向に延伸し、前記第二開口部と断続的に整列する前記第三開口部を包含する、回転可能な第三ディスク部材であって、前記第三開口部と前記第一開口部とが、前記第二開口部に関して異なる位置に配置され、それによって、別々の時間に前記第二開口部と整列し、製品錠剤のための中断された通路となる第三ディスク部材と、
を具備する、製品錠剤を分配するための分配機。
【請求項２】
前記第一開口部と前記第三開口部とが、互いに約90度離れている、請求項１に記載の分配機。
【請求項３】
ａ）前記第二ディスク部材の中央部分を通過して長手方向に延伸する穴と、
ｂ）前記第二ディスク部材の前記穴を通過して延伸し、前記第三ディスク部材と前記第一ディスク部材とを同時に回転するために、前記第三ディスク部材と前記第一ディスク部材とを相互連結する突起部と、
をさらに具備する、請求項１に記載の分配機。
【請求項４】
第四開口部を包含し、固定である第四ディスク部材をさらに具備し、前記第三ディスク部材が回転され、前記第三開口部が前記第二開口部から離れて回転する時に、前記第四開口部が前記第三開口部と断続的に整列する、請求項１に記載の分配機。
【請求項５】
錠剤分配機であって、
ａ）複数の製品錠剤を収納するために、形成されて配置されるキャビティを有するホッパと、
ｂ）前記ホッパのキャビティと流体連通し、第一開口部を有する第一ディスク部材、第二開口部を有する第二ディスク部材、及び第三開口部を有する第三ディスク部材を包含する中断される通路と、
を具備し、
ｃ）所定量の製品錠剤が前記第一開口部に流入し、前記第一ディスク部材が前記第一開口部と前記第二開口部とを整列するために回転され、前記所定量の製品錠剤が前記第一開口部から前記第二開口部へ移動し、前記第三ディスク部材が前記第二開口部と前記第三開口部とを整列するために回転され、前記所定量の製品錠剤が前記第二開口部から前記第三開口部へ移動し、及び前記所定量の製品錠剤が分配される錠剤分配機であって、前記通路は、外部要因に対して前記ホッパ内に収納された前記複数の製品錠剤が曝されることを防止するために、前記ディスク部材によって密閉される、錠剤分配機。
【請求項６】
所定量の製品錠剤が、製品錠剤の部分を包含する、請求項５に記載の錠剤分配機。
【請求項７】
製品錠剤を分配するための分配機であって、
ａ）キャビティと底部とを有するホッパであって、前記キャビティが、前記製品錠剤を収納するために形成されて配置され、前記底部が前記キャビティへのアクセスを備える開口部を包含するホッパと、
ｂ）前記ホッパの開口部近傍の前記キャビティ内に適合するために形成されて配置される第一ディスク部材であって、前記第一ディスク部材を通過して長手方向に延伸する第一開口部を包含する第一ディスク部材と、
ｃ）前記ホッパの底部が適切に機能するように接続される第二ディスク部材であって、前記第二ディスク部材は固定であり、穴と第二開口部とを包含し、前記穴が前記第二ディスク部材の中央部分の近傍の前記第二ディスク部材を通過して長手方向に延伸し、前記第二開口部が、前記第二ディスク部材を通過して長手方向に延伸して、前記第一開口部と断続的に整列する第二ディスク部材と、
ｄ）突起部と第三開口部とを包含する第三ディスク部材であって、前記突起部は前記第二ディスク部材の穴を通過して延伸して、前記第三ディスク部材と前記第一ディスク部材とを相互連結し、前記第三ディスク部材と前記第一ディスク部材とは回転可能であり、前記第三開口部は、前記第三ディスク部材を通過して長手方向に延伸して、前記第二開口部と断続的に整列し、前記第三開口部と前記第一開口部とは、前記第二開口部に関して異なる角度で配置される第三ディスク部材と、
ｅ）前記第三ディスク部材に、適切に機能するように接続されるモータであって、前記第三ディスク部材を回転し、それによって、前記第一ディスク部材を回転するモータと、
ｆ）前記開口部を整列することによって作られる通路であって、前記第一ディスク部材と前記第三ディスク部材とが前記モータによって回転される時に、前記第一開口部は前記第二開口部と整列し、前記第三開口部は前記第二開口部と整列し、そこで前記通路が中断され、それによって外部要因から前記ホッパを隔離する通路と、
を具備する、製品錠剤を分配するための分配機。
【手続補正２】
【補正対象書類名】明細書
【補正対象項目名】００３４
【補正方法】変更
【補正の内容】
【００３４】
加えて、第一ディスク部材２０１は、第一分配開口部２０４を包含し、第二ディスク部材２０２は第二分配開口部２０５を包含し、第三ディスク部材は、第三分配開口部２０６を包含する。好ましくは、第一分配開口部２０４は、所定量の製品錠剤を収納するために形成され配置される直径を有し、それによって、製品の所望される投薬量を分配することに役立つ。第二分配開口部２０５は、第一分配開口部２０４の直径より大きな直径有し、第三分配開口部２０６は、第二分配開口部２０５の直径より大きな直径を有する。
【手続補正３】
【補正対象書類名】明細書
【補正対象項目名】００３７
【補正方法】変更
【補正の内容】
【００３７】
製品錠剤が、第一ディスク部材２０１から第二ディスク部材２０２へ、及び第三ディスク部材２０３へ分配されるから、第二ディスク部材２０２と第三ディスク部材２０３の厚さは、第一ディスク部材２０１の厚さより厚く、分配開口部の直径は増加する。その結果、分配開口部の容積は増加し、それは、錠剤分配機２００の中で製品錠剤の詰りの発生を低減することに役立つ。分配開口部が先細りであると、これはさらに、錠剤分配機２００の中で製品錠剤の詰りの発生を低減する。
【手続補正４】
【補正対象書類名】明細書
【補正対象項目名】００３９
【補正方法】変更
【補正の内容】
【００３９】
【図１】本発明の原理によって構成される、錠剤分配機の組立分解側面図である。
【図２】図１に示された錠剤分配機の組立分解上方斜視図である。
【図３】図１に示された錠剤分配機の組立分解下方斜視図である。
【図４】図１に示された錠剤分配機の部分下方斜視図である。
【図５】図１に示された錠剤分配機と共に使用するための、センサ機構の組立分解側面斜視図である。
【図６】第一位置に第一分配開口部を有する第一ディスク部材を包含する、図１に示された錠剤分配機の平面図である。
【図７】第二位置に図６で示された第一分配開口部を有する第一ディスク部材を包含する、図１に示された錠剤分配機の別の平面図である。
【図８】図７に示された第二位置で第一分配開口部内に製品錠剤を有する、図１に示された錠剤分配機の側断面図である。
【図９】図７と８に示された第二位置より180度回転した第一分配開口部から、第二ディスク部材の第二分配開口部まで移動している製品錠剤を示す、図１に示された錠剤分配機の側断面図である。
【図１０】図９に示された第二分配開口部から、第三ディスク部材の第三分配開口部まで移動している製品錠剤を示す、図１に示された錠剤分配機の側断面図である。
【図１１】図１０に示された位置より180度回転した第三分配開口部から、第四ディスク部材の第四分配開口部と出口導管まで移動している製品錠剤を示す、図１に示された錠剤分配機の側断面図である。
【図１２】適切に作用するように、図１に示された錠剤分配機に接続される、図５に示されたセンサ機構の側面図である。
【図１３】本発明の原理によって構成される、別の実施形態の錠剤分配機に分配開口部を有するディスク部材の概略図である。